(57)【要約】      （修正有）【課題】蓋をスライドさせるタイプの蓋開閉式容器に適したロック装置を提供する。【解決手段】ロック受け座１０を有する容器本体Ａと、ロック支持部材に保持されロック受け座と係合するロックアッセンブリ２０を有し容器本体に対してスライドして開閉する蓋Ｂとをそなえた開閉式容器のロック装置。ロック受け座１０は、略円錐形状の先端部およびこの先端部に連なるカム付き係合溝を持つ円筒部を有し、ロックアッセンブリ２０は、ロック受け座と係合するロック２２、このロックを支持するロック支持部材２１および弾性ピン２３ｅ付きロックホルダ２３をそなえた開閉式容器のロック装置、ならびに容器本体Ａにロックアッセンブリ２０を、蓋Ｂにロック受け座１０を設けたロック装置。【選択図】図１
2015168441.tif 000002
【特許請求の範囲】
【請求項１】
ロック受け座を有する容器本体と、ロック支持部材に保持され前記ロック受け座と係合するロックを有するロックアッセンブリを持ち前記容器本体に対しスライドして開閉する蓋とをそなえた開閉式容器のロック装置において、
前記ロック受け座は、略円錐形状の先端部およびこの先端部に連なる円筒部を有し、前記円筒部の前記先端部に近接する部分にカム部を除くほぼ全周に亘って係合溝が形成され、前記係合溝は、傾斜部により前記カム部に対して連続的に連なり、
前記ロック支持部材は、前記蓋における前記ロック受け座と対向する位置に配され、
前記ロックは、ほぼ円筒形状をなし、前記ロック支持部材により回動可能に支持されていて、弾性材製の脚の先端に係合爪を有し、この係合爪が前記ロック受け座の前記係合溝に係合する位置でロック状態を形成し、解錠操作に伴う回動により前記カム部に乗り上げてロック状態を脱するものであり、
さらに前記ロック支持部材は、
弾性片持ち梁であって先端が前記ロックの外周に近接して配され、前記解錠操作による前記ロックの回動によって前記係合爪が前記カム部に乗り上げて前記係合溝との係合を解かれたとき、前記係合爪により押圧されて先端が弾性屈曲し、前記解錠操作が終了したとき、前記先端の復元力により前記ロックに周方向の作用力を与えて回動させ施錠可能状態にする弾性ピンを持ったロックホルダをそなえた
ことを特徴とする開閉式容器のロック装置。
【請求項２】
請求項1記載の開閉式容器のロック装置において、
前記ロック受け座は、前記カム部および係合溝がそれぞれ複数ずつ周方向に対称配置されたことを特徴とする開閉式容器のロック装置。
【請求項３】
請求項1記載の開閉式容器のロック装置において、
前記ロックホルダは、弾性樹脂により前記ロックを前記ロック支持部材に取り付ける部材と一体的に構成されたことを特徴とする開閉式容器のロック装置。
【請求項４】
請求項１におけるロックアッセンブリおよびロック受け座を、容器本体にロックアッセンブリが、蓋にロック受け座が配されたことを特徴とする開閉式容器のロック装置。
【発明の詳細な説明】
【技術分野】
【０００１】
本発明は、容器本体に対してスライドして開閉する蓋をそなえた開閉式容器の開閉動作をロックする装置に関する。
【背景技術】
【０００２】
例えば容器内に収容した内容物を定期的に交換するために、開閉式蓋を有する容器が多用されている。このような容器は、内容物交換時等の所要時以外は蓋を開けることはなく、普段はいたずらを防ぐ意味でも確実に閉止しておく必要がある。
【０００３】
そこで、蓋が簡単に開けられないように、ロック機構を設けている。可搬式で蓋が回動およびスライドする容器についての例が特許文献１に示されており、また蓋がヒンジ式の例が特許文献２に示されている。
【先行技術文献】
【特許文献】
【０００４】
【特許文献１】特開２０１１‐１７８４３４号公報
【特許文献２】特開２００９−２２７３１３号公報
【発明の開示】
【発明が解決しようとする課題】
【０００５】
ここにおいて、開閉式容器には、種々の構造のものがあり、スライド式の蓋（ドア）を持ち、蓋を摺動させてロックし、ロック解除して蓋を摺動させ開くものがある。
【０００６】
しかしながら、スライド式蓋をロックさせる構造は複雑になり、開閉操作も複雑になるから、簡単に開閉できてしかもロックできる装置として適当なものがない。
【０００７】
本発明は上述の点を考慮してなされたもので、蓋をスライドさせるタイプの蓋開閉式容器に適したロック装置を提供することを目的とする。
【課題を解決するための手段】
【０００８】
上記目的達成のため、本発明では、
ロック受け座を有する容器本体と、ロック支持部材に保持され前記ロック受け座と係合するロックを有するロックアッセンブリを持ち前記容器本体に対しスライドして開閉する蓋とをそなえた開閉式容器のロック装置において、
前記ロック受け座は、略円錐形状の先端部およびこの先端部に連なる円筒部を有し、前記円筒部の前記先端部に近接する部分にカム部を除くほぼ全周に亘って係合溝が形成され、前記係合溝は、傾斜部により前記カム部に対して連続的に連なり、
前記ロック支持部材は、前記蓋における前記ロック受け座と対向する位置に配され、
前記ロックは、ほぼ円筒形状をなし、前記ロック支持部材により回動可能に支持されていて、弾性材製の脚の先端に係合爪を有し、この係合爪が前記ロック受け座の前記係合溝に係合する位置でロック状態を形成し、解錠操作に伴う回動により前記カム部に乗り上げてロック状態を脱するものであり、
さらに前記ロック支持部材は、
弾性片持ち梁であって先端が前記ロックの外周に近接して配され、前記解錠操作による前記ロックの回動によって前記係合爪が前記カム部に乗り上げて前記係合溝との係合を解かれたとき、前記係合爪により押圧されて先端が弾性屈曲し、前記解錠操作が終了したとき、前記先端の復元力により前記ロックに周方向の作用力を与えて回動させ施錠可能状態にする弾性ピンを持ったロックホルダをそなえた
ことを特徴とする開閉式容器のロック装置、
を提供する。
【発明の効果】
【０００９】
本発明は上述のように、ロック受け座を有する容器本体と、ロック支持部材に保持され前記ロック受け座と係合するロックを有し前記本体に対してスライドして開閉する蓋とをそなえた開閉式容器において、蓋に設けたロックホルダの弾性作用を使用して容器本体のロック受け座と蓋のロックとの係合を保持するとともに解錠操作により係合を解くようにしたため、構造が簡単でありしかも簡単な操作で蓋を開閉できる容器用のロック装置を提供することができる。
【図面の簡単な説明】
【００１０】
【図１】本発明の一実施例の構成を示す分解説明図。
【図２】図1に示した実施例におけるロック受け座１０の説明図であり、図２(a)は斜視図、図２(b)は側面図、図２(c)は平面図、図２(d)は底面図。
【図３】図1に示した実施例におけるロック支持部材２１の説明図であり、図３(a)は上方から見た斜視図、図３(b)は下方から見た斜視図。
【図４】図1に示した実施例におけるロック２２の説明図であり、図４(a)は上方から見た斜視図、図４(b)は下方から見た斜視図。
【図５】図1に示した実施例におけるロックホルダ２３の説明図であり、図５(a)は上方から見た斜視図、図５(b)は下方から見た斜視図、図５(c)は平面図、図５(d)は側面図。
【図６】図１に示した実施例の施錠動作の説明図。
【図７】図１に示した実施例の施錠状態の説明図。
【図８】図１に示した実施例の解錠動作１の説明図。
【図９】図１に示した実施例の解錠動作２の説明図。
【図１０】図１に示した実施例の解錠状態の説明図。
【発明を実施するための形態】
【００１１】
以下、添付図面を参照して本発明の実施の形態を説明する。
【実施例１】
【００１２】
図１は、本発明の一実施例の構造を示す分解図である。この図１では、取付対象容器が本体Ａおよび被せ蓋Ｂにより構成され、被せ蓋Ｂを本体Ａに対して図示上下方向に移動させることにより、ロックおよびその解除を行って開閉する構造となっている。
【００１３】
図では、本体Ａは、短い円柱状のロック受け座のみを示していて容器の全体形状は図示省略している。また、被せ蓋Ｂは、図示下方から本体Ａに向け押し上げて本体Ａに係合させ、ロックさせるものである。
【００１４】
そして、容器本体Ａにはロック受け座１０が取り付けられ、蓋Ｂにはロックアッセンブリ２０が取り付けられる。ロック受け座１０は、先端１１（図示下端）側が略円錐状で、基端１２（図示上端）側が円筒状であり、円筒状部の図示最下部にはカム部１２ａを持った係合溝１２ｂが設けられている。
【００１５】
一方、蓋Ｂには、内側底面に、ロック支持部材２１により支持されたロック２２およびロックホルダ２３が留めねじ２４により固定されている。ロック２２には、ロック受け座１０の係合溝１２ｂおよびカム部１２ａと係合する一対の弾性爪２２ｃが設けられており、この弾性爪２２ｃがロック受け座１０と係合、解除することによりロック、およびその解除を行う。
【００１６】
そのために、ロック２２はロック支持部材２１およびロックホルダ２３により軸心を中心として回動可能に支持されており、蓋Ｂの図示下方から図示しないキーによって解錠操作し得るように構成されている。そして、ロックホルダ２３には、中央部にロック２２を挿通する回り留め付きロック穴２３ｂが設けられており、ロック２２の回動範囲を規制する。
【００１７】
また、ロックホルダ２３には、ロック穴２３ｂに向かって径方向外方から延び、ロック２２の弾性爪２２ｃに復元力による回動方向の作用力を与える弾性ピン２３ｅが一体的に設けられており、解錠操作によりロック２２がフリーになると、弾性ピン２３ｅの作用力によりロック２２を回動させて解錠位置に戻す。
【００１８】
図２は、ロック受け座１０の構造を示しており、図示下方にある円錐部１１ａは、図２(ｂ)に示すように端面１１ｂが平坦な略円錐形状であり、ロックアッセンブリ２０と係合する際に係合爪２２ｃのガイド機能を果たす。
【００１９】
ロック受け座１０の円錐部１１ａの内周は、円筒状の空間を持つ穴１１ｃが形成されており、この穴１１ｃは取付穴１３ａに連通している。そして図示上方にある基端部１２は、ほぼ円筒状であって、先端部寄りの部分には一部がカム１２ａである係合溝１２ｂが設けられている。
【００２０】
このロック受け座１０は、図２(ｃ)，(ｄ)に示すようにその中心軸を貫通して取付穴１３ｃが形成されている。この取付穴１３ａに、図示しない取付ねじを通してねじ込むことにより本体Ａに固定される。そして、取付穴１３ｃを囲んで適宜数の抜き穴１３ｂが設けられている。
【００２１】
図３ないし図５は、蓋Ｂに設けられる樹脂製のロックアッセンブリ２０の各部材を示しており、図３はロックアッセンブリ２１を、図４はロック２２を、図５はロックホルダ２３を示している。
【００２２】
図３(ａ)は、一部のみを長方形に切り取った形で図示した蓋Ｂと一体成型されたロック支持部材２１を上から見た斜視図であり、図３(ｂ)は同じく蓋Ｂを下から見た斜視図である。
【００２３】
ロック支持部材２１は、ロック２２を蓋Ｂに固定するもので、ロック２２を回動自在に支持するリング部２１ａ、このリング部２１ａを支持する支持台付き担体２１ｂの先端近くに留めねじ２４用のねじ穴２１ｃ、ロックホルダのボス（図５に関連して後述）用のボス穴２１ｄが設けられている。
【００２４】
図４(ａ)は、ロック２２を上から見た斜視図、図４(ｂ)は同じく下からみた斜視図であり、図４(ｃ)は平面図、図４(ｄ)は側面図である。
【００２５】
ロック２２は、ロック支持部材２１のリング部２１ａに収容されるもので、弾性樹脂で形成されており、ほぼ円筒状の本体部２２ａ、本体部２２ａの図示上端に設けられたフランジ部２２ｂによりロック支持部材２１のリング部２１ａに回動自在に保持される。
【００２６】
そして、フランジ部２２ｂに設けられた２つの切れ目に、それぞれ係合爪２２ｃが設けられている。係合爪２２ｃは、本体部２２ａから軸方向に立ち上がった脚が径方向内側に所定量オフセットして設けられている。この脚の先端部の径方向外側には、ロックホルダ２３のロック穴２３ｂの縁に係合する外側突起２２ｃ２が、また径方向内側には、ロック受け座１０のカム１２ａおよび係合溝１２ｂと当接、係合する内側突起２２ｃ３が設けられている。
【００２７】
ロック２２は、弾性樹脂により一体成型されており、係合爪２２ｃは基部２２ｃ１の弾性により全体が径方向内、外に屈曲することができ、それにより内側突起２２ｃ３によるロック受け座１０のカム１２ａおよび係合溝１２ｂとの係合および解除、が行われる。
【００２８】
この係合、解除は、ロック２２のキー穴２２ｄに、例えば４角柱状の端部を有するキー（図示せず）を差し込んで回動する操作によって行われる。
【００２９】
図５(ａ)はロックホルダ２３の上から見た斜視図、図５(ｂ)は同じく下からみた斜視図、図５(ｃ)は平面図、図５(ｄ)は側面図である。
【００３０】
このロックホルダ２３は弾性樹脂製であり、その本体２３ａの中央部には、ロック２２のフランジ部２２ｂが縁に載る大きさの回り留め付きロック穴２３ｂが設けられており、回り留め２３ｃによりロック２２の回動が所定範囲に限られる。
【００３１】
そして、本体２３ａの一方の側部から直角方向への延び出し部には、回り留め付き穴２３ｂの中心に向かう折り返し状に形成された弾性ピン２３ｅが設けられている。この弾性ピン２３ｅは、係合爪２２ｃの先端付近の側面に当接する高さであり、先端とロック受け座１０のカム１２ｂとの間にクリアランスがある長さである。したがって、ロック２２の回動に伴って係合爪２２ｃが回動すると、その回動方向にしたがって押され屈曲する。
【００３２】
ロックホルダ２３は、ロック２２をロック支持部材２１に固定するため、ロック支持部材２１に固定されるが、その位置決めのためにロック支持部材２３の底面端部には合計３つのボス２３ｆが設けられている。このボス２３ｆをロック支持部材２１のボス穴２１ｄに嵌入すると、ロックホルダ２３が正しい位置、向きでロック支持部材２１に固定される。
【００３３】
図６ないし図１０は、上記実施例の施錠、解錠の動作、状態を示す説明図であり、図６および図７が施錠について、図８ないし図１０が解錠について示している。
【００３４】
図６は、施錠直前のロック受け座１０とロックアッセンブリ２０との関係を示しており、容器本体Ａに取り付けられたロック受け座１０に対して蓋Ｂを矢印方向にスライド（上昇）させてロックしようとする時点の状態である。
【００３５】
図７は、図６に続く施錠された状態を示しており、図７(ａ)に示す外観状態となる。この状態では、ロック受け座１０の係合溝１２ｂにロック２２の係合爪２２ｃが係合している。
【００３６】
この状態を、図７(ｂ)における断面Ａ−Ａで切断した断面図が図７(ｃ)である。この図７(ｃ)に示すように、係合爪２２ｃが係合溝１２ｂに嵌入して係合している。つまり、係合爪２２ｃによりロック受け座１０が咥え込まれた状態であり、ロック状態である。
【００３７】
図８は、キーを用いて解錠操作をしている最中の状態を示しており、図８(ａ)は斜視図で、この状態を図８(ｂ)における断面Ｂ−Ｂで切断した断面図が図８(ｃ)である。
【００３８】
この図８(ｃ)において、弾性ピン２３ｅの先端が図示右方に屈曲していることから分るように、ロック２２の係合爪２２ｃは内側突起（２２ｃ２）がロック受け座１０のカム１２ａに乗り上げており、外側突起（２２ｃ３）が弾性ピン２３ｅを図示右方に押し曲げている。このため、係合爪２２ｃは係合溝１２ｂから外れており、ロックアッセンブリ２０がロック受け座１０から抜け落ちる状態となっている。この解錠操作は、弾性ピン２３ｅの復元力に抗して行われている。
【００３９】
この解錠操作は、キー（図示せず）を用いた回動操作であるが、前述の通り回り留めが施されており、ロック２２は所定範囲内を回動する。
【００４０】
図９は、図８の状態の次に起きる動作を示すもので、図９(ａ)はロック受け座１０からロックアッセンブリ２０が離脱した状態を示し、そのときの状態を図９(ｂ)における断面Ｃ-Ｃで切断した断面図に矢印を描き込んだ図９(ｃ)により、各部の運動として示している。
【００４１】
図９に示す矢印は、解錠操作を止めると、係合爪２２ｃは弾性ピン２３ｅの復元力によって図示左方向に押され、元の位置に戻ることを示している。
【００４２】
そして図１０は、係合爪２２ｃが元の位置に戻ったことを示す斜視図である。
【他の実施例】
【００４３】
上記実施例では、ロックおよびその解除の操作を蓋側で行うこととしたため、容器本体にロック受け座を、蓋にロックアッセンブリを設けたが、容器本体側で操作を行うとすれば、容器本体にロックアッセンブリを、蓋にロック受け座を設ければよい。
【符号の説明】
【００４４】
Ａ  容器本体、Ｂ  蓋、
１０  ロック受け座、１１  先端部、１１ａ  円錐部、１１ｂ  端面、
１１ｃ  穴、１２  基端部、１２ａ  カム部、１２ｂ  係合溝、１３  取付部、１３ａ  取付穴、１３ｂ  抜き穴、
２０  ロックアッセンブリ、２１  ロック支持部材、２１ａ  リング部、
２１ｂ  支持台付き担体、２１ｃ  ねじ穴、２１ｄ  ボス穴、
２２  ロック、２２ａ  本体部、２２ｂ  フランジ部、２２ｃ  係合爪、
２２ｃ１  基部、２２ｃ２  外側突起、２２ｃ３  内側突起、２２ｄ  キー穴、
２３  ロックホルダ、２３ａ  本体、２３ｂ  ロック穴、２３ｃ  回り留め、
２３ｄ  ねじ穴、２３ｅ  弾性ピン、２３ｆ  ボス、２４  留めねじ。
【図１】
2015168441.tif 000003
【図２】
2015168441.tif 000004
【図３】
2015168441.tif 000005
【図４】
2015168441.tif 000006
【図５】
2015168441.tif 000007
【図６】
2015168441.tif 000008
【図７】
2015168441.tif 000009
【図８】
2015168441.tif 000010
【図９】
2015168441.tif 000011
【図１０】
2015168441.tif 000012